(57)【要約】  動く物体（２００）を検知するためのシステム（１００）において、次のものを有する：−物体（２００）により反射された少なくとも１つの信号を少なくとも１つの角度のもとで受信するためのレーダ装置（１０）；および−レーダ装置（１０）と物体（２００）の間の少なくとも１つの相対速度および判定された各々の相対速度についての少なくとも１つの角度を判定するための処理装置（２０）；−物体（２００）から受信された信号についてマイクロドップラー分析を処理装置（２０）によって実行可能であり；−マイクロドップラー分析は受信された信号について決定された角度を参照して実行され；および−実行されたマイクロドップラー分析によって物体（２００）の種別を判定可能である。【選択図】  図３
2020530896.tif 000002
【特許請求の範囲】
【請求項１】
動く物体（２００）を検知するためのシステム（１００）において、
前記物体（２００）により反射された少なくとも１つの信号を少なくとも１つの角度のもとで受信するためのレーダ装置（１０）と、
前記レーダ装置（１０）と前記物体（２００）の間の少なくとも１つの相対速度および判定された各々の相対速度についての少なくとも１つの角度を判定するための処理装置（２０）とを有し、
前記物体（２００）から受信された信号についてマイクロドップラー分析を前記処理装置（２０）によって実行可能であり、
マイクロドップラー分析は受信された信号について決定された角度を参照して実行され、
実行されたマイクロドップラー分析によって前記物体（２００）の種別を判定可能であるシステム。
【請求項２】
それぞれ異なる相対速度について受信角度を判定可能であることを特徴とする、請求項１に記載のシステム（１００）。
【請求項３】
受信された信号の相関づけによって角度の判定を実行可能であることを特徴とする、請求項１または２に記載のシステム（１００）。
【請求項４】
判定された角度が、互いに重なり合う相対速度の分布を有する複数の物体（２００）の同時のマイクロドップラー分析のために利用されることを特徴とする、請求項１から３のいずれか１項に記載のシステム（１００）。
【請求項５】
受信された信号の周波数拡散の幅と周波数拡散の時間的推移とを前記処理装置（２０）によって判定可能であることを特徴とする、請求項１から４のいずれか１項に記載のシステム（１００）。
【請求項６】
ドップラー周波数の拡散の周期性が前記処理装置（２０）によって判定されることを特徴とする、請求項５に記載のシステム（１００）。
【請求項７】
定義された狭い周波数領域／速度領域への角度見積りの限定が実行されることを特徴とする、請求項１から６のいずれか１項に記載のシステム（１００）。
【請求項８】
前記レーダ装置（１０）が連続波レーダ装置として構成される、請求項１から７のいずれか１項に記載のシステム（１００）。
【請求項９】
ＦＭＣＷレーダ装置として構成されるのが好ましい第２のレーダ装置（３０）をさらに有する、請求項１から８のいずれか１項に記載のシステム（１００）。
【請求項１０】
前記レーダ装置（１０，３０）がそれぞれ少なくとも１つの送信アンテナとそれぞれ少なくとも２つの受信アンテナとを有し、前記受信アンテナによって受信信号を異なる受信方向から受信可能である、請求項９に記載のシステム（１００）。
【請求項１１】
動く物体（２００）を検知する方法（２００）において、次の各ステップを有し、
前記物体（２００）により反射された少なくとも１つの信号が少なくとも１つの角度のもとでレーダ装置（１０）によって受信され、
前記レーダ装置（１０）と前記物体（２００）の間の少なくとも１つの相対速度が判定され、
受信された信号についてマイクロドップラー分析が前記処理装置（２０）によって実行され、マイクロドップラー分析は受信された信号について決定された角度を参照して実行され、
実行されたマイクロドップラー分析によって前記物体（２００）の種別が判定される方法。
【請求項１２】
動く物体（２００）を検知するためのシステム（１００）で進行したときに、またはコンピュータ可読のデータ媒体に保存されたときに、請求項１１に記載の方法を実施するためのプログラムコード手段を有しているコンピュータプログラム製品。
【発明の詳細な説明】
【技術分野】
【０００１】
本発明は、動く物体を検知するシステムに関する。さらに本発明は、動く物体を検知する方法に関する。さらに、本発明はコンピュータプログラム製品に関する。
【背景技術】
【０００２】
レーダシステムは、レーダ信号を発信して、物体に当たって反射されたレーダ信号を、発信されたレーダ信号と比較するためにセットアップされる。その際に物体に関するさまざまな情報を収集することができる数多くの方式が知られている。１つの周知の態様は、発信されるレーダ信号がのこぎり波関数で変調されるＦＭＣＷ（英語ｆｒｅｑｕｅｎｃｙ  ｍｏｄｕｌａｔｅｄ  ｃｏｎｔｉｎｕｏｕｓ  ｗａｖｅ）レーダである。その場合、レーダシステムからの物体の距離を良好な精度で決定することができる。レーダセンサからどの方向に物体があるかを表す物体角度は、複数のアンテナを利用することで、または、信号が事前設定された方向へ射出されるように１つのアンテナを制御することで、得ることができる。
【０００３】
発信されたレーダ信号に対する反射されたレーダ信号のドップラー偏移は、レーダシステムに対する物体の相対速度を示唆し得る。それ自体で動く物体、たとえば手と脚を往復運動で振っている歩行者は、測定可能なドップラー周波数の特徴的な、しばしば周期的な変動を示す。物体をさらに詳しく分類できるようにするために、このような変動を分析することができる。
【０００４】
特許文献１は、マイクロドップラー分析を実行することができるように、自動車の車両にあるレーダシステムを制御することを提案している。
【０００５】
たとえば自動車の車両にある、それ自体が可動であるレーダシステムによって物体を分類するために、たとえばチャープシーケンスを用いた複素変調を適用することができる。しかしその場合、処理が非常にコスト高になることがある。たとえば送信信号と受信信号の間の差異信号の二次元フーリエ分析が必要になることがあり、そのため高性能の処理装置が不可欠になる。
【先行技術文献】
【特許文献】
【０００６】
【特許文献１】独国特許出願公開第１０２０１５１０９７５９号明細書
【発明の概要】
【発明が解決しようとする課題】
【０００７】
本発明の根底にある課題は、動く物体を検知するために、レーダをベースとする簡素な技術を提供することにある。
【課題を解決するための手段】
【０００８】
第１の態様では、本発明は動く物体を検知するシステムを提供し、このシステムは：
−物体により反射された少なくとも１つの信号を少なくとも１つの角度のもとで受信するためのレーダ装置と；
−レーダ装置と物体の間の少なくとも１つの相対速度および判定された各々の相対速度についての少なくとも１つの角度を判定するための処理装置とを有し；
−物体から受信された信号についてマイクロドップラー分析を処理装置によって実行可能であり；
−マイクロドップラー分析は受信された信号について決定された角度を参照して実行され；
−実行されたマイクロドップラー分析によって物体の種別を判定可能である。
【０００９】
提案されるシステムではマイクロドップラー分析が実行され、これに基づいて物体の種別が分類される。動いている歩行者は、レーダ装置に対してさまざまな速さで動くさまざまな身体部位を有しており、それにより、このようにして生成される速度分布は時間を通して歩行者に特徴的であり得る。たとえば自動車のために提案されるシステムにより、結果的に、レーダのみをベースとする歩行者保護ないし自転車運転者保護を提供できるという利点がある。
【００１０】
第２の態様では、本発明は動く物体を検知する方法を提供し、この方法は次の各ステップを有し：
−物体により反射された少なくとも１つの信号が少なくとも１つの角度のもとでレーダ装置によって受信され；
−レーダ装置と物体の間の少なくとも１つの相対速度が判定され；
−受信された信号についてマイクロドップラー分析が処理装置によって実行され、マイクロドップラー分析は受信された信号について決定された角度を参照して実行され；
−実行されたマイクロドップラー分析によって物体の種別が判定される。
【００１１】
システムの１つの好ましい実施形態では、それぞれ異なる相対速度について受信角度を判定可能であることが意図される。それにより、マイクロドップラー分析をいっそう精密に実行することができる。
【００１２】
システムの１つの好ましい実施形態では、受信された信号の相関づけによって角度の判定を実行可能であることが意図される。それにより、さまざまな角度から得られる受信信号の確実な判定が実行される。
【００１３】
システムの１つの好ましい実施形態は、判定された角度が、互いに重なり合う相対速度の分布を有する複数の物体の同時のマイクロドップラー分析のために利用されることを意図する。それにより、空間方向に応じて異なる物体を相互に区別可能にすることが可能となる。このとき、たとえば複数の歩行者を互いに区別できるのが好ましい。
【００１４】
システムの別の好ましい実施形態は、受信された信号の周波数拡散の幅と周波数拡散の時間的推移とを処理装置によって判定可能であることを特徴とする。このようにして、動く物体の分類がさらにいっそう改善されるという利点がある。
【００１５】
システムの別の好ましい実施形態は、ドップラー周波数の拡散の周期性が処理装置によって判定されることを意図する。このようにして、たとえば歩行者の四肢の周期的な動きを検出することができる。
【００１６】
システムの別の好ましい実施形態は、定義された狭い周波数領域／速度領域への角度見積りの限定が実行されることを特徴とする。それにより、関心の対象となる領域にシステムの検知能力を集約できるという利点がある。
【００１７】
システムの別の好ましい実施形態は、レーダ装置が連続波レーダ装置として構成されることを特徴とする。このような型式のレーダ装置によって、受信された信号の区別を非常に良好に実現することができる。
【００１８】
システムの別の好ましい実施形態は、ＦＭＣＷレーダ装置として構成されるのが好ましい別のレーダ装置をさらに有することを特徴とする。それにより、距離と第１の相対速度の判定のためにＦＭＣＷレーダ装置を良好に利用し、物体の高い速度分解能のために連続波レーダを良好に利用することができる。
【００１９】
システムの別の好ましい実施形態は、レーダ装置がそれぞれ少なくとも１つの送信アンテナとそれぞれ少なくとも２つの受信アンテナとを有し、受信アンテナによって受信信号を異なる受信方向から受信可能であることを特徴とする。このようにして、信号が受信される角度の確実な判定を実行することができる。
【００２０】
開示されている装置構成要件は、開示されている方法構成要件からもこれに準じて明らかとなり、その逆も成り立つ。このことは特に、自動車の周囲にある物体を位置特定するシステムに関わる構成要件、技術的な利点、および実施形態が、自動車の周囲にある物体を位置特定する方法に関わる相応する構成要件、技術的な利点、および実施形態からもこれに準ずる仕方で明らかとなり、その逆も成り立つことを意味する。
【００２１】
次に、複数の図面を参照しながら、本発明についてさらに別の構成要件と利点を含めて詳しく説明する。
【図面の簡単な説明】
【００２２】
【図１】提案されるシステムの実施形態を示す図である。
【図２】提案されるシステムの別の実施形態を示す図である。
【図３】提案される方法の原理的なフローチャートである。
【図４】提案されるシステムの好ましい発展例の機能形態を説明するための例示としてのグラフである。
【図５】図４のグラフの断面図である。
【図６】図４のグラフの部分図である。
【図７】物体の方向ないし角度を判定するための時間・周波数・ラスター化がなされた図６の部分図を示す図である。
【発明を実施するための形態】
【００２３】
本発明の根底にある思想は、１つまたは複数の物体について相対速度のスペクトルをレーダ装置によってマイクロドップラー分析により分析するというものである。このようにして、距離や速度が類似しているが方向が相違している複雑なシナリオでも、単一および／または複数の物体の正確な分析ないし分類を実現することができる。
【００２４】
このシステムは、物体の動きの種類に関する正確な情報だけでなく、物体の場所および場所の変化に関する正確な情報も分析するために、異なるレーダ装置の利点の組み合わせを可能にすることができる。特に、レーダ装置を有する自動車が周囲に対して動いている場合にも、物体の正確な速度情報の分析を成功させることができる。
【００２５】
物体の分類が、このようにして明らかに改善され得る。特に、歩行者／自転車走行者としての物体の分類を改善して実行することができ、それにより、たとえば自動車の車両にある走行アシストシステム、および／または能動的および／または受動的な事故防止装置を改善して制御することができる。たとえば、歩行者が自動車との衝突コースにいると断定されたとき、運転者または歩行者に警告をするための信号を出力することができる。１つの好ましい態様では、自動車の自動的な減速をシステムによって開始することができる。
【００２６】
処理装置は、レーダ装置により受信された信号のマイクロドップラー分析を実行するために意図される。マイクロドップラー分析により、物体の運動パターンが歩行者の既知の運動パターンと一致するか否かを断定することができる。実行されるマイクロドップラー分析の詳細度によっては、歩行者がどのような活動に従事しているかということさえ断定できるという利点がある。
【００２７】
連続波レーダ装置として構成されたレーダ装置は、たとえば約１５から約２５ｍｓの周期で、別の態様では約１０から約１５ｍｓまたは約２５から約３０ｍｓの周期で、連続波動作により作動させることができる。ドップラー周波数の評価による速度決定の精度が、それによって有意に向上され得る。
【００２８】
このようにして、このシステムは歩行者の検知の必要性に合わせて良好に適合化することができ、たとえば約２０ｍｓの連続波信号の送信時間で約０．１ｍ／ｓの物体の速度分解能を具体化可能であり、このことは、歩行者の典型的な速度をいっそう正確に分析するのに十分である。歩行者の典型的な速度は胴体について約１ｍ／ｓであり、前方への脚の振りについて最大で約４ｍ／ｓであり、これから約１０から４０の周波数ビンがもたらされる。それに対して前を横切る歩行者については、相対速度の明らかな低減が生じる。
【００２９】
マイクロドップラー分析では、動く物体についてドップラースペクトルの拡散が評価され、ドップラースペクトルに拡散を有していない止まっている物体や動いている剛体は無視される。
【００３０】
マイクロドップラー分析により、発信された連続波レーダ信号と、物体で反射された連続波レーダ信号との間の差異信号を、その周波数分布に関して分析することができる。このとき分析はフーリエ変換によって実行されるのが好ましい。このとき、事前設定された周波数領域で信号エネルギーを算出することができる。周波数分布をその時間的推移に関して分析することもでき、それにより、たとえば歩いている歩行者と走っている歩行者の運動パターンを互いに区別することができる。
【００３１】
提案されるシステムの好ましい発展例では、任意の測定原理に基づいて、好ましくは、通常は連続するレーダ信号の周波数ランプを適用するＦＭＣＷ原理に基づいて構成されていてよい、別のレーダ装置が設けられていてよい。これ以外の実施形態も同じく可能であり、たとえば物体角度を決定するために個々の空間角が相前後して機械式または電子式に走査されるレーダ装置を利用することができる。
【００３２】
別のレーダ装置の個々のＦＭＣＷランプの信号は、互いに別々に処理されるのが好ましい。そのためにＦＭＣＷランプが周知の一次元フーリエ変換によって分析されるのが好ましい。このことは、チャープシーケンスでの二次元フーリエ分析よりも明らかに低い計算コストであり得る。さまざまな物体を分別するために、フーリエ分析の後に、検知された周波数ピークをそれぞれ異なるランプにわたって相互に組み合わせることができる。その結果、両方のレーダ装置を交互に作動させることができ、それにより、同じ周波数領域で走査をいっそう容易に実行することができる。
【００３３】
両方のレーダ装置は、別案として、ただ１つのレーダ装置に統合されていてもよく、この統合型のレーダ装置が相前後して異なる信号で作動する。たとえば１つの時点で、ＦＭＣＷ信号または連続波信号のいずれかで作動することができる。特に、これらの動作方式を交互に作動化させることができる。レーダ装置が節減されることで、コストを節約することができる。公知のレーダ装置を想定内のコストで上述したシステムへと拡充することができる。
【００３４】
事前設定された限界周波数よりも下方の周波数だけに着目されるのが好ましく、この限界周波数は、周囲に対するレーダ装置の速度を基礎として決定される。それにより、周囲に対してレーダ装置が動いているよりも高速でレーダ装置に近づいている物体、すなわち周囲に対してそれ自体が動いている物体に割り当てられる信号成分だけに着目されるのが好ましい。それに応じてこのような物体のドップラー周波数は、負の固有速度に相当するドップラー周波数よりも低い（ないしは数値的に大きい）。
【００３５】
提案されるシステムの基本態様を図１が示している。処理装置２０と機能的に接続されたレーダ装置１０を見ることができる。レーダ装置１０によって送信信号が発信され、これが物体２００（たとえば歩行者）に当たって少なくとも部分的に反射されて、さまざまに異なる非常に類似した角度のもとで受信信号として受信される。処理装置２０により、受信された信号を用いてマイクロドップラー分析が実行され、そこから物体２００の種別が分類される。
【００３６】
提案される自動車のシステムは、レーダをベースとする歩行者保護として利用できるという利点がある。あるいは、たとえば軍事分野における定置の監視システムでのレーダをベースとする用途も考えられる。
【００３７】
図２は、レーダ装置１０と、別のレーダ装置３０と、処理装置２０とを含む、自動車５０のための提案されるシステム１００の上に挙げた好ましい発展例の一例としての有用な適用事例を示している。各々レーダ装置１０，３０は、少なくとも１つの送信アンテナと、それぞれ少なくとも２つの、好ましくは４つの受信アンテナ（図示せず）とを有しており、それにより、少なくとも２つの受信アンテナによって空間的にさまざまに異なる方向から受信信号を受信することができ、これらの受信信号が引き続き相関づけられ、それにより、受信された信号について方向情報を導き出すことができる。両方のレーダ装置１０，３０は１つのレーダ装置として統合されて構成されていてもよく、そのようなケースでは、第１のレーダ装置１０および別のレーダ装置としての交互の動作が好ましい。自動車５０の周囲２１０には、図１の事例では歩行者によって表される動く物体２００がある。
【００３８】
システム１００により、物体２００をレーダ信号で走査して、物体２００の位置情報、運動情報、および分類情報を決定することが意図される。決定された情報は、自動車５０の車内にある警告装置および／または制御装置（図示せず）として構成されていてよいインターフェース４０によって二次利用のために提供することができる。
【００３９】
可動の物体２００は周囲２１０に対して動くことがあり得る。さらには物体２００がそれ自体として動き、ないしはマイクロ運動を行うことがあり得る。このとき可動の物体２００の各部分（歩行者のケースでは腕や脚）が周囲２１０に対して、物体２００とは異なる速度で動くことがあり得る。そのようなケースでは、レーダ装置１０，３０によって１つのドップラー周波数だけでなく、ドップラー周波数のスパン全体を測定することができる。
【００４０】
たとえば歩行者として構成される可動の物体２００は、約５ｋｍ／ｈの速度で周囲２１０に対して相対的に動くことがあり得る。歩行者の両脚（および多くの場合に両腕）の周期的な運動に基づき、そのドップラー周波数拡散もそれによって周期的な仕方で変動する。両方の脚が地面についているとき、最大の速度は胴体によって与えられる。この速度は脚に沿って低下していき、足のところでゼロになる。したがって、ゼロと胴体の速度との間の速度に対応するどのようなドップラー周波数でも潜在的に測定可能である。これは、最小のドップラー周波数拡散の時点でもある。それに対して足は、前方に向かって振り出されるとき胴体速度の約３倍から４倍に達する。
【００４１】
このようにして判定されるドップラー周波数ないし周波数ビンの領域を用いて、すべての受信アンテナの受信信号の相関づけを行うことができる。このようにして、いわゆる「多目的推定」を具体化することができ、それぞれ異なる角度のもとで配置された複数の物体が、単一の周波数ビンで判定される。
レーダ信号の複素変調や複素評価を必要とすることなく、物体２００の速度のスペクトルを十分に正確に決定するために、物体２００の距離および／または大まかな運動を、それ自体として公知のＦＭＣＷ信号を利用する第１のレーダ装置２０によって決定することが提案される。物体２００の高い速度分解能を得るために、好ましくはマイクロドップラー分析を用いて、物体２００のマイクロ運動がレーダ装置１０により追加的に決定されて分析される。このときレーダ装置１０は連続波信号（「ＣＷランプ」）を利用し、すなわち、発信されるレーダ信号を時間を通して変調するのではないのが好ましい。連続波信号の決定は、物体２００について十分な速度分解能を実現するために、ＦＭＣＷ法の通常のランプよりも、定義されたとおり長く実行することができ、たとえば約２０ｍｓのあいだ続く。
【００４２】
各々の周波数ビンについて、その中で受信された出力に依存して、またはこれに依存することなく、受信信号の相関づけを実行することができる。このようにして出力上昇の検知を行うことができ、または、個々の受信信号の間の相関づけを行うことができるが、後者のケースでは計算コストが高くなる。
【００４３】
連続波信号についてはドップラー効果だけが受信信号に影響を及ぼす。それに対して、物体２００の距離は何ら役割を演じない。差周波数およびこれに伴ってドップラー周波数は、自動車５０との関係における物体２００の物理的な速度に直接に対応する。連続波信号については距離を決定することができないので、さらに旧来式のＦＭＣＷ法によって、各シーンを個々の物体２００ごとに分けなければならない。しかし両方のレーダ装置１０，３０は、レーダ装置１０，３０に対する物体２００の速度と角度を決定することができるので、多くの場合、検知された物体２００にマイクロドップラー効果を一義的に割り当てることが可能である。
【００４４】
最終的に、提案されるシステムの基本形態では、連続波信号を旧来式のＦＭＣＷランプからほぼ完全に分けて分析することができる。
【００４５】
図３は、可動の物体２００に関する情報を決定するために別のレーダ装置３０も利用する方法のフローチャート３００を示しており、この情報は特に物体２００の場所または運動、およびマイクロ運動の周波数の分布である。
【００４６】
ステップ３０５で、別のレーダ装置３０により好ましくはＦＭＣＷ信号をベースとして物体２００が走査される。これ以外のレーダ法も代替的に可能である。発信されて反射される信号が、ステップ３０５の上に時間グラフで定性的に示唆されている。この決定はレーダ工学で周知であり、任意の周知の方式により実行することができる。走査の結果として、別のレーダ装置３０との第１の間隔ｄ（ｔ）と、物体２００と別のレーダ装置３０の間の第１の相対速度ｖ１（ｔ）とが決定されるのが好ましい。
【００４７】
ステップ３０５と交互に実施することができるステップ３１０で、レーダ装置１０により、同じままの周波数を有するレーダ信号（連続波信号）をベースとして物体２００が走査される。ステップ３１０の上に示唆されているグラフは、発信されて反射された信号を略示している。この走査の結果として、物体２００とレーダ装置１０の間の第２の相対速度ｖ２（ｔ）が決定されるのが好ましい。このとき第２の相対速度は非常に高い分解能であるのが好ましく、それによってマイクロドップラー分析の効率的な実行を可能にする。
【００４８】
ステップ３１５で、ステップ３０５および３１０で決定された情報が互いに割り当てられる。それぞれ同じ角度を含む、およびさらに好ましくはそれぞれの角度の同じ時間的動向を含む第１の情報と第２の情報は同一の物体２００を対象としており、互いに割り当てることができる。ステップ３１５は、第１および第２の情報の組み合わせとして、距離ｄ（ｔ）、速度ｖ（ｔ）、および角度φ（ｔ）を提供するのが好ましい。
【００４９】
ステップ３２０で、得られたパターンが歩行者を示唆しているか否かを決定するために、第２の相対速度の周波数分布を分析することができる。
【００５０】
この目的のために、相対速度の拡散ないし相対速度を表すドップラー周波数が判定されて分析される。幅広い拡散がある場合、物体２００が時間的な分析によって歩行者として分類され、その際には、相応のパターンまたはそのようなパターンの特性が事前決定されていてよく、比較のために援用することができる。
【００５１】
受信された出力の分析にあたっては、すべての受信アンテナのそれぞれ個々の受信出力を単純に合算することができ（「非コヒーレント積分」）、またはその代替として、相応の角度のもとで１つの周波数ビンにおいて１つまたは複数の物体を十分に高い品質でどれだけ決定できるかを試みることもできる。各々の周波数ビンで、それぞれ出力強度の高い物体の角度を決定することができるだけで十分であり（受信信号の強い出力差に基づく）、または、単に多目的推定のための高い計算コストを節減するために、１つの角度だけを決定することが意図される。
【００５２】
レーダ装置１０の連続波信号の処理は、たとえば別のレーダ装置３０のＦＭＣＷランプの処理と基本的に同じである。すべての受信チャネルにわたる非コヒーレント積分に続いて、好ましくは高速フーリエ変換によってスペクトル分析が行われる。このとき信号が、それが組み合わされてなるそれぞれの周波数に分解される。次いで、各周波数成分の出力が各々の周波数ビンで決定され、このとき周波数ビンは、全体スペクトルのそれぞれ定義された周波数インターバルに相当する。
【００５３】
ただしここではＦＭＣＷランプと異なり、周波数ピークは検知されない（および互いに割り当てられない）。雑音閾値を超える出力を有する各々の周波数ビンは、相応の速度を（半径方向に）有する物理的な物体２００の存在を直接的に示唆する。このことは当然ながら、マイクロドップラー効果を有する物体２００については周波数スペクトル全体について生じる。角度見積りもＦＭＣＷランプの場合と事実上同じである。同じく個々の周波数ピークの検知が不要となるにすぎない。これに加えて単一の連続波信号だけが存在し、これについて角度を決定することができ、それによりランプごとの角度の計算も不要となる。ただし、マイクロドップラーが存在する場合には、個々の周波数ビンがそれぞれ異なるランプの代わりとなる。
【００５４】
自動車分野ではレーダ装置１０の自己運動が、歩行者を検知するためのマイクロドップラー分析の実行を難しくすることがある。すなわち動いているレーダ装置１０にとっては、あたかも止まっている物体２００がすぐ前方から自身の速度で近づいてくるように見える。横にずれている場合、このような見かけの速度は観察角のコサインだけ減少する。そばを（すなわち９０°で）通過する瞬間、物体２００は一時的に止まっているように見えてから、後方に向かってレーダ装置１０から離れていく。したがって、止まっている物体２００の反射される出力はスペクトルに関して、ゼロと負の自己速度との間の速度に相当する周波数だけに限定される。自己速度とは、周囲２１０に対する自動車５０の速度を指す。
【００５５】
このような関係性が図４にグラフ４００で示されている。水平方向には時間ｔがプロットされ、垂直方向には速度ｖがドップラー周波数ｆｄｏｐｐｌｅｒ（ｔ）に依存してプロットされている。基本信号４０５は、レーダ装置１０に対して相対的に負の自己速度よりも低い速度で動き、したがって定置であるとみなされる物体を表す。個々のピーク（英語ｐｅａｋｓ）４１０が歩行者の形態の物体２００に対応する。このとき個々のピーク４１０は、歩行者の歩みによって第２のレーダ装置３０に対して相対的に生起される最大の相対速度を表す。
【００５６】
推移４２０は、自動車５０の停止している対向交通を表す。領域４０５の境界線は、自動車５０の負の自己速度−ｖｅｇｏを表す。
【００５７】
この領域の外にある他のすべての周波数は、定置の物体によって乱されることがない。それとは対照的に他のＦＭＣＷランプでは、背景クラッタが明らかに広い周波数領域にわたって分布する。
【００５８】
運転者アシストの分野での歩行者保護ないし自転車保護にとっては、横切っていく歩行者が特別に重要となる。正面から向かってくる歩行者と比較して、その運動の半径方向成分はレーダ装置１０の方向で明らかに低いがゼロではない。自動車５０が動いている道路を歩行者が垂直に横切っているときでさえ、その歩行者はレーダ装置１０に対して垂直に動くのではない。それにもかかわらず、横切っている歩行者について典型的には、前方に向かって振られる脚の相対速度だけが、走行方向ですぐ前方に止まっている物体よりも高い。
【００５９】
したがって、相応の周波数成分だけが支障なくスペクトル分析される。レーダ装置１０の方向での歩行者のゆっくりしてはいるが能動的な運動により、分析されるべきマイクロドップラー効果は、負の自己速度に相当するドップラー周波数のすぐ下にある周波数領域に該当する。自己速度については、通常、自動車５０の車内に高い品質の見積りが存在する。したがって、歩行者に関連する周波数スペクトルの領域を直接選択することができる。
【００６０】
曲がり角では、回転運動に基づいて自動車５０の個々の点がそれぞれ異なる速度を有する。自動車５０の自己速度は、通常、車両リヤアクスルに関して決定される。通常は同じく既知である自動車５０のヨーレートによって、前側に組み付けられているレーダ装置１０の相応の速度をそこから容易に導き出すことができる。
【００６１】
歩行者は横から車道に近づいてくるので、レーダ装置１０，３０の運動方向に対する側方のオフセットによっても、測定可能な速度が低下していく。歩行者は、同じ観察角のもとで止まっている物体２００と同じ見かけの速度の低下を受ける。その一方で、歩行者の運動方向が同じであれば、観察角の増大によって本来の歩行者運動の半径方向成分が増えていく。
【００６２】
マイクロドップラーの本来の分析には、一定の送信周波数を有する定置のレーダシステムについて原理的に類似する方法が適している。ただし、マイクロドップラー拡散の大部分のマスキングに基づき、マイクロドップラー出力の強度、マスキングされていない拡散の幅、時間を通じてのこのような幅の変動の振幅、ならびに２つの最大の拡散の時間的な間隔／周期（およびこれに伴って歩行者の測定された歩数頻度）が主として基準となる。
【００６３】
図５は、図４のグラフを時点ｔ＝τでの断面に沿って示している。左側のピーク４１０の領域に、歩行者のピーク４１０の周波数の幅広い拡散を見ることができる。ピーク４１０は、歩行者の前方に振られる脚およびそれによって生起されるレーダ装置に対する高い相対速度によって生成される。停止していることによって歩行者と類似する低い相対速度を有する、停止している車両５０によって生起されるピーク４３０も認められる。ここではシャーシについての受信出力が、それが金属でできているために強く上昇している。このようにして歩行者を良好に識別することができ、歩行者としての物体２００の分類、ならびにこれに続く当該情報の処理を行うことができる。
【００６４】
図６は、時間・周波数・ラスター化が実行された図５の一部分Ｂを示している。
【００６５】
図７は、図の領域Ｂをラスター化なしで図ａ）に示すとともに、領域Ｂの時間・周波数・ラスター化を図ｂ）に示しており、水平方向にはすべての測定周期についての周波数が表示され、垂直方向には単一の測定周期についてのすべての周波数ビンが表示されている。ここで時間・周波数・ラスター化の正方形のフィールドＢ１，Ｂ２，Ｂ３，Ｂ４は、離散ドメインにおける、ないしはアナログドメインの定義された周波数インターバルにおける周波数ビンに相当する。
【００６６】
周波数ビンＢ１では分析が実行されない。そこではレーダ装置１０，３０との関連で、基本的に止まっている物体しか予想されない（ないしは、止まっている物体の受信出力が支配的であることが予想される）からである。
【００６７】
周波数ビンＢ２では、受信されたそれぞれの出力が、そこから物体が１つの角度のもとで得られるように相関づけられ、ここでは物体は歩行者の形態でレーダ装置１０，３０に対して相対的に配置されている。
【００６８】
周波数ビンＢ３では、受信されたそれぞれの出力が、そこから物体が１つの角度のもとで得られるように相関づけられ、ここでは物体２００は車両の形態でレーダ装置１０，３０に対して相対的に配置されている。
【００６９】
周波数ビンＢ４では、それぞれの受信信号の相関づけに基づいて物体２００を検知することができない。
【００７０】
追加的にこの分析で留意すべきは、歩行者は定義からして定置の部分（止まっている脚）を有しており、出力最大値は胴体によって与えられることである。それに応じて、負の自己速度に属するドップラー周波数と、歩行者のマイクロドップラー拡散との間に（信号出力のない）欠落は存在しない。それに応じて、このような負の自己速度に属するドップラー周波数からスペクトル最大値が有意に外れている場合にも、歩行者としての物体の分類が否定される。
【００７１】
本方法は、レーダ装置１０，３０と処理装置２０で進行するソフトウェアとしてインプリメントできるという利点があり、それにより本方法の容易な改変可能性がサポートされる。
【００７２】
提案されるシステムについては、雨滴で反射される出力が歩行者のマイクロドップラー効果としばしば重なり合うという理由で雨滴の影響を考慮に入れなくてよいという利点がある。これは空間的に分散した事象であるため、部分的に十分に有意な出力にもかかわらず、入射角をしばしば決定できないことが示されている。したがって雨は実質的に信号対雑音比を引き下げるにすぎず、特に、歩行者の出力拡散の全体幅を支障なく決定可能である。
【符号の説明】
【００７３】
１０  レーダ装置
２０  処理装置
３０  レーダ装置
１００  システム
２００  物体
【図１】
2020530896.tif 000003
【図２】
2020530896.tif 000004
【図３】
2020530896.tif 000005
【図４】
2020530896.tif 000006
【図５】
2020530896.tif 000007
【図６】
2020530896.tif 000008
【図７ａ）】
2020530896.tif 000009
【図７ｂ）】
2020530896.tif 000010
【国際調査報告】
2020530896.tif 000011
2020530896.tif 000012
2020530896.tif 000013
2020530896.tif 000014
2020530896.tif 000015
2020530896.tif 000016